(57)【要約】【課題】蛍光を効率良く取り出すことができる波長変換素子、光源装置、およびプロジェクターを提供する。【解決手段】基板と、基板の一方面側に設けられ、第１の波長の第１の光を第２の波長の第２の光に変換する波長変換層と、基板と波長変換層との間に配置される金属反射膜と、金属反射膜と波長変換層との間に配置されるダイクロイックミラーと、を備える波長変換素子。【選択図】図２
2016061852.tif 000002
【特許請求の範囲】
【請求項１】
基板と、
前記基板の一方面側に設けられ、第１の波長の第１の光を第２の波長の第２の光に変換する波長変換層と、
前記基板と前記波長変換層との間に配置される金属反射膜と、
前記金属反射膜と前記波長変換層との間に配置される誘電体多層膜と、
を備える波長変換素子。
【請求項２】
前記金属反射膜と前記誘電体多層膜との間に配置され、前記第２の光を透過させる透過層をさらに備える
請求項１に記載の波長変換素子。
【請求項３】
前記透過層を介して前記金属反射膜が前記誘電体多層膜に接合されている
請求項１又は２に記載の波長変換素子。
【請求項４】
励起光を射出する発光素子と、
請求項１〜３のいずれか一項に記載の波長変換素子と、
を備える光源装置。
【請求項５】
照明光を射出する照明装置と、
前記照明光を画像情報に応じて変調することにより画像光を形成する光変調装置と、
前記画像光を投射する投射光学系と、を備え、
前記照明装置が、請求項４に記載の光源装置であるプロジェクター。
【発明の詳細な説明】
【技術分野】
【０００１】
本発明は、波長変換素子、光源装置、およびプロジェクターに関するものである。
【背景技術】
【０００２】
近年、プロジェクターにおいて、蛍光体を利用した光源装置が用いられている。この光源装置は、基板上に反射ミラーおよび蛍光体層がこの順に積層された構成を有している。蛍光体によって生成された蛍光は、励起光が入射する面と同じ面側に反射ミラーによって反射され、外部に射出される（例えば、特許文献１参照）。
【先行技術文献】
【特許文献】
【０００３】
【特許文献１】特開２０１０−２５６４５７号公報
【発明の概要】
【発明が解決しようとする課題】
【０００４】
しかしながら、上記従来技術においては、反射ミラーが金属ミラーで形成された場合、蛍光が金属ミラーで反射する度に、蛍光の一部は熱に変換されることで吸収される。そのため、蛍光の損失が発生する。また、金属ミラーの近傍で発光した蛍光の一部が金属ミラー表面の表面プラズモン共鳴により吸収されるため、蛍光の損失が発生する。つまり、蛍光体層で発生した蛍光を効率良く利用できない、という問題があった。
【０００５】
そこで、上記反射ミラーを誘電体多層膜で形成することも考えられるが、誘電体多層膜の反射特性は、波長依存性および角度依存性を有するため、一部の成分が反射されない。そのため、蛍光の一部の成分は利用できない。
【０００６】
本発明はこのような事情に鑑みてなされたものであって、発生した蛍光を効率良く利用できる波長変換素子、光源装置、およびプロジェクターを提供することを目的とする。
【課題を解決するための手段】
【０００７】
本発明の第１態様に従えば、基板と、前記基板の一方面側に設けられ、第１の波長の第１の光を第２の波長の第２の光に変換する波長変換層と、前記基板と前記波長変換層との間に配置される金属反射膜と、前記金属反射膜と前記波長変換層との間に配置される誘電体多層膜と、を備える波長変換素子が提供される。
【０００８】
第１態様に係る波長変換素子によれば、波長変換層の内部で生成され、基板に向かって進行する第２の光のうち、多くの成分は誘電体多層膜で反射されることで基板とは反対方向に波長変換層の外部に射出される。誘電体多層膜で反射されなかった第２の光における残りの成分は金属反射膜で反射される。
これにより、金属反射膜に入射する第２の光の光量が抑えられるため、金属反射膜による損失を抑えることができる。よって、本発明によれば、第２の光を効率良く利用できる。
【０００９】
上記第１態様において、前記金属反射膜と前記誘電体多層膜との間に配置され、前記第２の光を透過させる透過層をさらに備える構成としてもよい。
この構成によれば、透過層により金属反射膜と波長変換層との間隔が長くなるので、表面プラズモン共鳴による蛍光の吸収を抑えることができる。よって、プラズモン共鳴による損失を減らすことができるので、第２の光を効率良く利用できる波長変換素子が実現される。
【００１０】
上記第１態様において、前記透過層を介して前記金属反射膜が前記誘電体多層膜に接合されている構成としてもよい。
この構成によれば、透過層を接着層として兼用するので、別途、接着層を設ける構成に比べて部品点数が少なくなる。そのため、波長変換素子の低コスト化を図ることができる。
【００１１】
本発明の第２態様に従えば、励起光を射出する発光素子と、上記第２態様に係る波長変換素子と、を備える光源装置が提供される。
【００１２】
第２態様に係る光源装置によれば、上記第１態様に係る波長変換素子を備えるので、本光源装置は明るい光を射出することができる。
【００１３】
本発明の第３態様に従えば、照明光を射出する照明装置と、前記照明光を画像情報に応じて変調することにより画像光を形成する光変調装置と、前記画像光を投射する投射光学系と、を備え、前記照明装置が、上記第１態様に係る照明装置であるプロジェクターが提供される。
【００１４】
第３態様に係るプロジェクターによれば、上記第２態様に係る光源装置を備えるので、本プロジェクターは品質に優れた画像表示を行うことができる。
【図面の簡単な説明】
【００１５】
【図１】第一実施形態に係るプロジェクターの光学系を示す上面図である。
【図２】（ａ）は回転蛍光板の正面図、（ｂ）はＡ１−Ａ１断面図である。
【図３】第二実施形態に係る回転蛍光板の断面図である。
【図４】第三実施形態に係る回転蛍光板の断面図である。
【発明を実施するための形態】
【００１６】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１７】
（第一実施形態）
本実施形態に係るプロジェクターの一例について説明する。本実施形態のプロジェクターは、スクリーン（被投射面）ＳＣＲ上にカラー映像を表示する投射型画像表示装置である。プロジェクターは、赤色光、緑色光、青色光の各色光に対応した３つの液晶光変調装置を用いている。プロジェクターは、照明装置の光源として、高輝度・高出力な光が得られる半導体レーザーを用いている。
【００１８】
図１は、本実施形態に係るプロジェクターの光学系を示す上面図である。
プロジェクター１は、図１に示すように、第１照明装置１００、第２照明装置１０２、色分離導光光学系２００、液晶光変調装置４００Ｒ，４００Ｇ，４００Ｂ、クロスダイクロイックプリズム５００及び投写光学系６００を備える。
【００１９】
第１照明装置１００は、第１光源１０、コリメート光学系７０、ダイクロイックミラー８０、コリメート集光光学系９０、回転蛍光板（波長変換素子）３０、モーター５０、第１レンズアレイ１２０、第２レンズアレイ１３０、偏光変換素子１４０及び重畳レンズ１５０を備える。
【００２０】
第１光源１０は、励起光としてレーザー光からなる青色光（発光強度のピーク：約４４５ｎｍ）Ｂを射出する半導体レーザー（発光素子）からなる。第１光源１０は、１つの半導体レーザーからなるものであってもよいし、多数の半導体レーザーからなるものであってもよい。
なお、第１光源１０は、４４５ｎｍ以外の波長（例えば、４６０ｎｍ）の青色光を射出する半導体レーザーを用いることもできる。
【００２１】
本実施形態において、第１光源１０は、光軸が照明光軸１００ａｘと直交するように配置されている。
コリメート光学系７０は、第１レンズ７２と、第２レンズ７４とを備え、第１光源１０からの光を略平行化する。第１レンズ７２及び第２レンズ７４は、凸レンズからなる。
【００２２】
ダイクロイックミラー８０は、コリメート光学系７０からコリメート集光光学系９０までの光路中に、第１光源１０の光軸及び照明光軸１００ａｘのそれぞれに対して４５°の角度で交わるように配置されている。ダイクロイックミラー８０は、青色光Ｂを反射し、赤色光及び緑色光を含む黄色の蛍光Ｙを通過させる。
【００２３】
コリメート集光光学系９０は、ダイクロイックミラー８０からの青色光Ｂを略集光した状態で回転蛍光板３０の蛍光体層４２に入射させる機能と、回転蛍光板３０から射出される蛍光を略平行化する機能とを有する。コリメート集光光学系９０は、第１レンズ９２及び第２レンズ９４を備える。第１レンズ９２及び第２レンズ９４は、凸レンズからなる。
【００２４】
第２照明装置１０２は、第２光源７１０、集光光学系７６０、散乱板７３２及びコリメート光学系７７０と、を備える。
【００２５】
第２光源７１０は、上記第１照明装置１００の第１光源１０と同一の半導体レーザーから構成される。
集光光学系７６０は、第１レンズ７６２及び第２レンズ７６４を備える。集光光学系７６０は、第２光源７１０からの青色光を散乱板７３２付近に集光する。第１レンズ７６２及び第２レンズ７６４は、凸レンズからなる。
【００２６】
散乱板７３２は、第２光源７１０からの青色光を散乱し、蛍光（回転蛍光板３０から射出される光）に似た配光分布を有する青色光Ｂとする。散乱板７３２としては、例えば、光学ガラスからなる磨りガラスを用いることができる。
【００２７】
コリメート光学系７７０は、第１レンズ７７２と、第２レンズ７７４とを備え、散乱板７３２からの光を略平行化する。第１レンズ７７２及び第２レンズ７７４は、凸レンズからなる。
【００２８】
本実施形態において、第２照明装置１０２からの青色光Ｂはダイクロイックミラー８０で反射され、ダイクロイックミラー８０を透過した回転蛍光板３０からの黄色の蛍光Ｙと合成されて白色光Ｗとなり、第１レンズアレイ１２０に入射する。
【００２９】
図２は、実施形態に係る回転蛍光板を説明するために示す図である。図２（ａ）は回転蛍光板の正面図であり、図２（ｂ）は図２（ａ）のＡ１−Ａ１断面図である。
回転蛍光板３０は、図１及び図２に示すように、モーター５０により回転可能な円板（基板）４０上に、蛍光体層（波長変換層）４２が円板４０の周方向に沿って設けられてなる。蛍光体層４２は、例えば、外径５８ｍｍ、内径４８ｍｍのＯリング形状からなり、厚みが２５０μｍである。
回転蛍光板３０は、青色光が入射する側と同じ側に向けて赤色光及び緑色光を含む黄色光（蛍光）を射出する。
【００３０】
円板４０は、例えば、外径が６０ｍｍ、厚さが０．７ｍｍの銅製の円板部材から構成されている。
【００３１】
本実施形態において、第１光源１０からの青色光Ｂは、円板４０とは反対側から蛍光体層４２に入射する。
蛍光体層４２は、第１光源１０からの青色光Ｂによって励起される。蛍光体層４２は、第１光源１０からの青色光（第１の波長の第１の光）を赤色光及び緑色光を含む黄色光（第２の波長の第２の光）である蛍光Ｙに変換する。蛍光体層４２は、例えば、ＹＡＧ系蛍光体である（Ｙ，Ｇｄ）３（Ａｌ，Ｇａ）５Ｏ１２：Ｃｅを含有する層からなる。
【００３２】
図２（ｂ）に示すように、回転蛍光板３０は、円板４０と蛍光体層４２との間に配置される金属反射膜３１と、該金属反射膜３１と蛍光体層４２との間に配置される誘電体多層膜３２と、金属反射膜３１と円板４０との間に配置された接着層３３と、をさらに備えている。すなわち、回転蛍光板３０は、金属反射膜３１、誘電体多層膜３２、及び蛍光体層４２がこの順に積層された積層体が接着層３３を介して円板４０上に貼り付けられた構成となっている。
【００３３】
金属反射膜３１は、例えば、Ａｇ層とＡｌ２Ｏ３層とを積層した金属ミラーから構成される。なお、Ａｇ層は反射膜として機能する。Ａｌ２Ｏ３層は、反射膜の反射率が硫化等によって低下しないように、反射膜を保護する保護層として機能する。
接着層３３は、例えば、Ａｇフィラーを含有した高熱伝導率タイプの接着剤から構成され、蛍光体層４２の熱を円板４０に効率良く伝達する。
【００３４】
ここで、本実施形態の回転蛍光板３０の製造方法の一例について説明する。
まず、蛍光体層４２の基材となるシート材を形成する。例えば、ＹＡＧ:Ｃｅ粉末、低融点ガラス粉末、有機バインダー、可塑剤と溶剤を混合し、スラリーを生成する。なお、ＹＡＧ:Ｃｅとガラスの体積比は、例えば、５０:５０とする。そして、ドクターブレード成形機でグリーンシートを作成し、グリーンシートをプレス成型でＯリング状にくり抜く。次に、Ｏリング状のシート材を焼結し、さらに両面を研磨することによって、所定の厚みの蛍光体層４２を作成する。
【００３５】
続いて、上記蛍光体層４２の一方の面に波長４５０ｎｍの励起光の反射を抑制するＡＲコートを成膜し、他方の面に誘電体多層膜３２を蒸着成膜する。
【００３６】
続いて、誘電体多層膜３２上に、例えば、Ａｇ膜を１５０ｎｍ、Ａｇ膜の保護膜としてのＡｌ２Ｏ３を２０ｎｍ、蒸着することで金属反射膜３１を形成することで、蛍光体層４２、誘電体多層膜３２、および金属反射膜３１の積層体を形成する。金属反射膜３１が円板４０と対向するように、上記積層体を接着層３３により円板４０に接着した後、モーター５０を円板４０に取り付けることで回転蛍光板３０が製造される。
【００３７】
誘電体多層膜３２は、赤色光及び緑色光を高い効率で反射するように設計されている。
ところで、蛍光は蛍光体層４２内で全方位に等方的に放射される。すなわち、誘電体多層膜３２に入る任意の入射角の光の割合は、入射角の正弦値に比例する。例えば、入射角３０°の光と入射角６０°の光の光線量の比は、ｓｉｎ３０°：ｓｉｎ６０°となる。
【００３８】
本実施形態の誘電体多層膜３２は、上述した事項を考慮して設計されたものである。そのため、誘電体多層膜３２は、入射した蛍光の大部分を図２（ｂ）の上方向（円板４０とは反対側）に向けて反射することができる。
【００３９】
しかしながら、蛍光の波長域は広く、誘電体多層膜３２に対する入射角の範囲も広いため、入射する蛍光の全光線を反射できる誘電体多層膜３２を実現することは困難である。そのため、一部の蛍光は、誘電体多層膜３２を透過して円板４０に向かって進行する。
【００４０】
本実施形態では、誘電体多層膜３２と円板４０との間に配置した金属反射膜３１により、誘電体多層膜３２を透過した一部の蛍光Ｙを反射することができる。
なお、金属反射膜３１に入射した蛍光Ｙの一部は、熱に変換されることで吸収されてしまう。また、金属反射膜３１と蛍光Ｙの発光点が極めて近い場合、生成した蛍光Ｙが金属反射膜３１の表面プラズモンと共鳴して吸収されるおそれがある。
【００４１】
このように金属反射膜３１は蛍光Ｙの利用効率を低下させる要因となり得るが、本実施形態では、上述のように蛍光Ｙの大部分を誘電体多層膜３２で反射して外部に出射させ、誘電体多層膜３２で反射されなかった蛍光Ｙの残り成分のみを金属反射膜３１で反射して外部に射出させる。このように、金属反射膜３１に入射する蛍光Ｙの光量が抑えられているため、金属反射膜３１に起因した蛍光の損失を抑えることができる。よって、蛍光Ｙの利用効率を大幅に向上させることができる。
【００４２】
図１に戻って、第１レンズアレイ１２０は、コリメート光学系６０からの光を複数の部分光束に分割するための複数の第１小レンズ１２２を有する。複数の第１小レンズ１２２は、照明光軸１００ａｘと直交する面内にマトリクス状に配列されている。
【００４３】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる。複数の第２小レンズ１３２は照明光軸１００ａｘに直交する面内にマトリクス状に配列されている。
【００４４】
偏光変換素子１４０は、第１レンズアレイ１２０により分割された各部分光束を、直線偏光に変換する。偏光変換素子１４０は、回転蛍光板３０からの光に含まれる偏光成分のうち一方の直線偏光成分をそのまま透過させるとともに他方の直線偏光成分を照明光軸１００ａｘに垂直な方向に反射する偏光分離層と、偏光分離層で反射された他方の直線偏光成分を照明光軸１００ａｘに平行な方向に反射する反射層と、反射層で反射された他方の直線偏光成分を一方の直線偏光成分に変換する位相差板とを有している。
【００４５】
重畳レンズ１５０は、偏光変換素子１４０からの各部分光束を集光して液晶光変調装置４００Ｒ，４００Ｇ，４００Ｂの画像形成領域近傍に重畳させる。第１レンズアレイ１２０、第２レンズアレイ１３０及び重畳レンズ１５０は、回転蛍光板３０からの光の面内光強度分布を均一にするインテグレーター光学系を構成する。
【００４６】
色分離導光光学系２００は、ダイクロイックミラー２１０，２２０、反射ミラー２３０，２４０，２５０及びリレーレンズ２６０，２７０を備える。色分離導光光学系２００は、第１照明装置１００および第２照明装置１０２からの白色光Ｗを赤色光Ｒ、緑色光Ｇ及び青色光Ｂに分離し、赤色光Ｒ、緑色光Ｇ及び青色光Ｂをそれぞれが対応する液晶光変調装置４００Ｒ，４００Ｇ，４００Ｂに導光する。
色分離導光光学系２００と、液晶光変調装置４００Ｒ，４００Ｇ，４００Ｂとの間には、集光レンズ３００Ｒ，３００Ｇ，３００Ｂが配置されている。
【００４７】
ダイクロイックミラー２１０は、赤色光成分を通過させ、緑色光成分及び青色光成分を反射するダイクロイックミラーである。
ダイクロイックミラー２２０は、緑色光成分を反射して、青色光成分を通過させるダイクロイックミラーである。
反射ミラー２３０は、赤色光成分を反射する反射ミラーである。
反射ミラー２４０，２５０は青色光成分を反射する反射ミラーである。
【００４８】
ダイクロイックミラー２１０を通過した赤色光は、反射ミラー２３０で反射され、集光レンズ３００Ｒを通過して赤色光用の液晶光変調装置４００Ｒの画像形成領域に入射する。
ダイクロイックミラー２１０で反射された緑色光は、ダイクロイックミラー２２０でさらに反射され、集光レンズ３００Ｇを通過して緑色光用の液晶光変調装置４００Ｇの画像形成領域に入射する。
ダイクロイックミラー２２０を通過した青色光は、リレーレンズ２６０、入射側の反射ミラー２４０、リレーレンズ２７０、射出側の反射ミラー２５０、集光レンズ３００Ｂを経て青色光用の液晶光変調装置４００Ｂの画像形成領域に入射する。
【００４９】
液晶光変調装置４００Ｒ，４００Ｇ，４００Ｂは、入射された色光を画像情報に応じて変調してカラー画像を形成するものである。なお、図示を省略したが、各集光レンズ３００Ｒ，３００Ｇ，３００Ｂと各液晶光変調装置４００Ｒ，４００Ｇ，４００Ｂとの間には、それぞれ入射側偏光板が配置され、各液晶光変調装置４００Ｒ，４００Ｇ，４００Ｂとクロスダイクロイックプリズム５００との間には、それぞれ射出側偏光板が配置される。
【００５０】
クロスダイクロイックプリズム５００は、各液晶光変調装置４００Ｒ，４００Ｇ，４００Ｂから射出された各画像光を合成してカラー画像を形成する光学素子である。
このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００５１】
クロスダイクロイックプリズム５００から射出されたカラー画像は、投写光学系６００によって拡大投写され、スクリーンＳＣＲ上で画像を形成する。
【００５２】
以上述べたように、本実施形態のプロジェクター１によれば、蛍光Ｙを効率良く利用できる上記第１照明装置１００を備えるので、該プロジェクター１は品質に優れた画像を表示することができる。
【００５３】
（第二実施形態）
続いて、本発明の第二実施形態について説明する。本実施形態と第一実施形態との違いは、回転蛍光板の構成であり、それ以外の構成は共通である。そのため、以下の説明では回転蛍光板の構成を主体に説明する。なお、以下の説明では、上記実施形態の同一の部材および構成については同じ符号を付し、その詳細な説明については省略若しくは簡略化する。
【００５４】
図３は本実施形態に係る回転蛍光板の断面図である。図３に示すように、本実施形態の回転蛍光板３４は、金属反射膜３１と、誘電体多層膜３２と、接着層３３と、誘電体多層膜３２と金属反射膜３１との間に配置された透過層３５とを備えている。すなわち、回転蛍光板３０は、金属反射膜３１、透過層３５、誘電体多層膜３２、及び蛍光体層４２がこの順に積層された積層体が接着層３３を介して円板４０上に貼り付けられた構成となっている。
【００５５】
透過層３５は、例えば、厚さ４００ｎｍのＡｌ２Ｏ３から構成されており、蛍光を透過する。透過層３５は、例えば、誘電体多層膜３２上に蒸着で形成される。
【００５６】
本実施形態によれば、誘電体多層膜３２および金属反射膜３１間に透過層３５が配置されるので、蛍光体層４２と金属反射膜３１との間隔を大きくすることができる。をよって、金属反射膜３１と蛍光の発光点が極めて近い場合に生じる表面プラズモン共鳴による蛍光の吸収を抑えることができる。このように、プラズモン共鳴による損失を減らすことができるので、蛍光を効率良く利用できる照明装置を提供することができる。
【００５７】
（第三実施形態）
続いて、本発明の第三実施形態について説明する。本実施形態と上記実施形態との違いは、回転蛍光板の構成であり、それ以外の構成は共通である。そのため、以下の説明では回転蛍光板の構成を主体に説明する。なお、以下の説明では、上記実施形態の同一の部材および構成については同じ符号を付し、その詳細な説明については省略若しくは簡略化する。
【００５８】
図４は本実施形態に係る回転蛍光板の断面図である。図４に示すように、本実施形態の回転蛍光板３６は、円板４０と、該円板４０上に形成された金属反射膜３１と、透過層４３と、誘電体多層膜３２と、蛍光体層４２と、を備えている。透過層４３は、例えば、可視光に対して無色透明なシリコーン接着剤から構成される。なお、透過層４３の厚さは、例えば、５μｍである。本実施形態において、透過層４３は、金属反射膜３１を誘電体多層膜３２と接合させる接着層として機能する。すなわち、回転蛍光板３６は、表面に金属反射膜３１が形成された円板４０上に、誘電体多層膜３２及び蛍光体層４２がこの順に積層された積層体が透過層４３を介して接合されている。
【００５９】
本実施形態において、円板４０は、例えば、アルミニウム製の円板部材から構成されている。また、金属反射膜３１は、例えば、Ａｇ層とＡｌ２Ｏ３層を含む金属ミラーから構成される。
【００６０】
ここで、本実施形態の回転蛍光板３６の製造方法の一例について説明する。
まず、第一実施形態と同様に、スラリーをＯリング状の型に入れてモールド形成した後、焼成してＯリング状の蛍光体基材を形成する。続いて、該蛍光体基材の両面を研磨して厚みを２５０μｍとし、一方面にＡＲコート、他方面に誘電体多層膜３２を成膜する。
【００６１】
円板４０は、例えば、金属反射膜３１（Ａｇ層；１５０ｎｍ、保護層（Ａｌ２Ｏ３）２０ｎｍ）を片面に成膜したアルミニウム板材をプレス成型で円板状にくりぬくことで形成される。
【００６２】
続いて、熱硬化型の透明シリコーン接着剤を用いて、ＡＲコートおよび誘電体多層膜３２が成膜された蛍光体層４２と円板４０を接着した後、モーター５０を取り付けることで回転蛍光板３６が製造される。
【００６３】
本実施形態の回転蛍光板３６によれば、第１実施形態の回転蛍光板３０と同様の積層構造（円板４０、金属反射膜３１、および誘電体多層膜３２の積層構造）を有するため、誘電体多層膜３２で反射されなかった蛍光の残り成分のみを金属反射膜３１で反射することが可能である。そのため、金属反射膜３１に起因した損失が抑えられるので、蛍光の利用効率を向上させることができる。
【００６４】
また、本実施形態では、透過層４３が接着層として機能するので、別途、接着層を設ける構成に比べて部品点数が少なくなる。そのため、回転蛍光板３４の低コスト化を図ることができる。よって、該回転蛍光板３４を備えた照明装置および該照明装置を備えたプロジェクターの低コスト化を実現できる。
【００６５】
なお、本発明は、上記実施形態のものに必ずしも限定されるものではなく、本発明の趣旨を逸脱しない範囲において種々の変更を加えることが可能である。
【００６６】
例えば、上記実施形態では、３つの液晶光変調装置４００Ｒ，４００Ｇ，４００Ｂを備えるプロジェクター１を例示したが、１つの液晶光変調装置でカラー映像（画像）を表示するプロジェクターに適用することも可能である。また、光変調装置として、デジタルミラーデバイスを用いてもよい。
【００６７】
また、上記実施形態では本発明による照明装置をプロジェクターに搭載した例を示したが、これに限られない。本発明による照明装置は、照明器具や自動車のヘッドライト等にも適用することができる。
【００６８】
上記各実施形態においては、半導体レーザーからなる第１光源及び第２光源を用いたが、本発明はこれに限定されるものではない。例えば、発光ダイオードからなる第１光源及び第２光源を用いてもよい。
【符号の説明】
【００６９】
１…プロジェクター、１０…第１光源（発光素子）、３０，３４，３６…回転蛍光板（波長変換素子）、３１…金属反射膜、３２…誘電体多層膜、３５…透過層、４０…円板（基板）、４２…蛍光体層（波長変換素子）、１００…第１照明装置、４００Ｒ，４００Ｇ，４００Ｂ…液晶光変調装置（光変調装置）、６００…投写光学系。
【図１】
2016061852.tif 000003
【図２】
2016061852.tif 000004
【図３】
2016061852.tif 000005
【図４】
2016061852.tif 000006